(57)【特許請求の範囲】
【請求項１】
ステージ上の標本に、対物レンズを介して光を照射するとともに、前記標本からの反射光を集光して観察する顕微鏡において、
少なくともベース部と、前記ベース部の背面側に立設する柱部と、を有する顕微鏡本体部と、
前記ステージまたは前記対物レンズを昇降させて、前記対物レンズの焦点位置と前記ステージ上面との間隔を調整する焦準機構と、
前記対物レンズの焦点位置と前記ステージ上面との間隔を表示する位置情報表示部と、
を備え、
前記焦準機構は、前記ベース部に設けられて前記ステージを昇降させ、
前記位置情報表示部は、前記対物レンズの焦点位置と前記ステージ上面との間隔を表示するスケールを有し、
前記スケールは、基準位置が前記対物レンズの焦点位置と一致するよう前記柱部に、前記顕微鏡の正面側または側面側から前記ステージの上面とともに視認可能な位置に配置され、
前記スケールの基準位置と前記ステージ上面との間隔を、前記標本の高さ情報から調整することにより、前記標本の上面を前記対物レンズの焦点位置近傍に調整することを特徴とする顕微鏡。
【請求項２】
前記位置情報表示部は、前記スケールの近傍に配置され、前記スケールとともに前記対物レンズの焦点位置と前記ステージ上面との間隔を表示する第１の指標と、を有し、
前記スケールおよび前記第１の指標のいずれか一方は、基準位置が前記対物レンズの焦点位置と一致するよう前記柱部に配置され、他方は前記ステージの昇降に連動して移動するよう焦準機構に配置されていることを特徴とする請求項１に記載の顕微鏡。
【請求項３】
前記位置情報表示部は、前記スケールの近傍に移動可能に設けられ、前記スケールとともに前記標本の高さを表示する第２の指標と、
を有することを特徴とする請求項１に記載の顕微鏡。
【請求項４】
前記位置情報表示部は、前記スケールの近傍に移動可能に設けられ、前記スケールとともに前記標本の高さを表示する第２の指標をさらに有することを特徴とする請求項２に記載の顕微鏡。
【請求項５】
前記第１の指標は、矢印で構成されることを特徴とする請求項２または４に記載の顕微鏡。
【請求項６】
前記第２の指標は、矢印で構成されることを特徴とする請求項３または４に記載の顕微鏡。
【請求項７】
前記第１の指標は、副尺目盛で構成されることを特徴とする請求項２または４に記載の顕微鏡。
【請求項８】
前記柱部に配置される前記スケールは、前記対物レンズの光軸方向に移動可能であることを特徴とする請求項１〜７のいずれか一つに記載の顕微鏡。
【発明の詳細な説明】
【技術分野】
【０００１】
本発明は、焦点合わせを容易に行いうる顕微鏡に関する。
【背景技術】
【０００２】
従来、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。このような顕微鏡では、まず、顕微鏡の対物レンズに対する標本の相対位置を合焦目安範囲とした後、精密に焦点合わせを行う。標本の相対位置を合焦目安範囲とする際、標本と対物レンズとが衝突しないよう、標本と対物レンズの間隔に注意しながら、慎重にステージ等を移動させる必要があり、焦点合わせには相当な時間を要していた。
【０００３】
これに対し、標本から発せられる観察光を光電検出する光電検出手段と、光電検出手段により検出された検出値をもとに、合焦目安範囲内であるか否かを判定する判定手段と、合焦目安範囲内であることを報知する報知手段と、を備えた顕微鏡が提案されている（例えば、特許文献１参照）。
【先行技術文献】
【特許文献】
【０００４】
【特許文献１】特開２００８−１５８０８９号公報
【発明の概要】
【発明が解決しようとする課題】
【０００５】
特許文献１では、報知手段が標本と対物レンズとの相対位置が合焦目安範囲となったことを観察者に報知するため、焦点合わせは容易となる。しかしながら、合焦目安範囲であるか否かを判定する輝度の閾値の範囲設定が必要となり、また、標本や、対物レンズ等の観察条件が変更された場合には、閾値の再設定が必要となる可能性があり、操作が煩雑となるおそれがある。さらに、光電検出手段や判定手段が必要となるため、システムが複雑になるだけでなく、高価となってしまう。
【０００６】
本発明は、上記に鑑みてなされたものであって、対物レンズと標本との焦点合わせを、簡易、かつ安価に行いうる顕微鏡を提供することを目的とする。
【課題を解決するための手段】
【０００７】
上述した課題を解決し、目的を達成するために、本発明の顕微鏡は、ステージ上の標本に、対物レンズを介して光を照射するとともに、前記標本からの反射光を集光して観察する顕微鏡において、少なくともベース部と、前記ベース部の背面側に立設する柱部と、を有する顕微鏡本体部と、前記ステージまたは前記対物レンズを昇降させて、前記対物レンズの焦点位置と前記ステージ上面との間隔を調整する焦準機構と、前記対物レンズの焦点位置と前記ステージ上面との間隔を表示する位置情報表示部と、を備え、前記焦準機構は、前記ベース部に設けられて前記ステージを昇降させ、前記位置情報表示部は、前記対物レンズの焦点位置と前記ステージ上面との間隔を表示するスケールを有し、前記スケールは、基準位置が前記対物レンズの焦点位置と一致するよう前記柱部に、前記顕微鏡の正面側または側面側から前記ステージの上面とともに視認可能な位置に配置され、前記スケールの基準位置と前記ステージ上面との間隔を、前記標本の高さ情報から調整することにより、前記標本の上面に前記対物レンズの焦点位置近傍に調整することを特徴とする。
【０００９】
また、本発明の顕微鏡は、上記発明において、前記焦準機構は、前記位置情報表示部は、前記スケールの近傍に配置され、前記スケールとともに前記対物レンズの焦点位置と前記ステージ上面との間隔を表示する第１の指標と、を有し、前記スケールおよび前記第１の指標のいずれか一方は、基準位置が前記対物レンズの焦点位置と一致するよう前記柱部に配置され、他方は前記ステージの昇降に連動して移動するよう焦準機構に配置されていることを特徴とする。
【００１０】
また、本発明の顕微鏡は、上記発明において、前記位置情報表示部は、前記スケールの近傍に移動可能に設けられ、前記スケールとともに前記標本の高さを表示する第２の指標と、を有することを特徴とする。
【００１１】
また、本発明の顕微鏡は、上記発明において、前記位置情報表示部は、前記スケールの近傍に移動可能に設けられ、前記スケールとともに前記標本の高さを表示する第２の指標をさらに有することを特徴とする。
【００１２】
また、本発明の顕微鏡は、上記発明において、前記第１の指標は、矢印で構成されることを特徴とする。
また、本発明の顕微鏡は、上記発明において、前記第２の指標は、矢印で構成されることを特徴とする。
【００１３】
また、本発明の顕微鏡は、上記発明において、前記第１の指標は、副尺目盛で構成されることを特徴とする。
【００１４】
また、本発明の顕微鏡は、上記発明において、前記柱部に配置される前記スケールは、前記対物レンズの光軸方向に移動可能であることを特徴とする。
【発明の効果】
【００１５】
本発明にかかる顕微鏡は、対物レンズの焦点位置とステージ上面との間隔に関する情報を表示する位置情報表示部を備えることにより、対物レンズと標本とを簡易、かつ安価に合焦目安範囲に設定することができる。
【図面の簡単な説明】
【００１６】
【図１】図１は、実施の形態１にかかる顕微鏡の概略構成を示す斜視図である。
【図２Ａ】図２Ａは、図１の顕微鏡の位置情報表示部近傍の一部拡大斜視図である（対象標本なし）。
【図２Ｂ】図２Ｂは、図１の顕微鏡の位置情報表示部近傍の一部拡大斜視図である（対象標本あり）。
【図３】図３は、実施の形態２にかかる顕微鏡の概略構成を示す斜視図である。
【図４Ａ】図４Ａは、図３の顕微鏡の位置情報表示部近傍の一部拡大斜視図である（対象標本なし）。
【図４Ｂ】図４Ｂは、図３の顕微鏡の位置情報表示部近傍の一部拡大斜視図である（対象標本あり）。
【図５】図５は、実施の形態２の変形例にかかる顕微鏡の概略構成を示す斜視図である。
【図６】図６は、図５の顕微鏡の位置情報表示部近傍の一部拡大斜視図である。
【図７】図７は、実施の形態３にかかる顕微鏡の概略構成を示す斜視図である。
【図８Ａ】図８Ａは、図７の顕微鏡の位置情報表示部近傍の一部拡大斜視図である。
【図８Ｂ】図８Ｂは、図７の顕微鏡の位置情報表示部近傍の一部拡大斜視図である（対象標本あり）。
【発明を実施するための形態】
【００１７】
以下に、本発明にかかる顕微鏡の実施の形態を図面に基づいて詳細に説明する。なお、本発明は、これらの実施の形態に限定されるものではなく、本発明の要旨を逸脱しない範囲で種々の変更が可能である。
【００１８】
（実施の形態１）
図１は、本発明の実施の形態１にかかる顕微鏡１００の概略構成を示す斜視図である。
【００１９】
顕微鏡１００は、顕微鏡本体部１と、対象標本２を載置するステージ３と、ステージ３を上下方向に移動する焦準機構４と、複数の対物レンズ５を保持し、選択された対物レンズ５を観察光軸上に挿脱するレボルバ６と、落射照明部を構成するランプハウス７および投光管８と、投光管８上部に載置された鏡筒９と、対物レンズ５の焦点位置とステージ３上面との間隔を視認できる位置情報表示部１０と、を備える。また、鏡筒９には、対象標本２の標本像を目視観察するための接眼レンズ１１が搭載されている。
【００２０】
顕微鏡本体部１はベース部１ａと、ベース部１ａの背面側に立設する柱部１ｂと、柱部１ｂに支持されて正面側に向かって延在するアーム部１ｃとを有する。ベース部１ａは、机上等の顕微鏡１００が設置される場所に直接載置される部分である。柱部１ｂは、ベース部１ａの背面側（奥側）に立設され、焦準機構４を介してステージ３を保持する。柱部１ｂは、水平方向の断面が略Ｖ字型の柱状をなし、略Ｖ字型の折り曲り部の下端部でベース部１ａと一体化されている。アーム部１ｃは、柱部１ｂの上端から顕微鏡１００の正面側に向かって延在し、下面側にレボルバ６が取り付けられるとともに、上面側に投光管８が搭載されている。なお、本明細書において、顕微鏡１００の正面側は観察者が位置する側であり、背面側は正面側に対向する側を意味する。
【００２１】
焦準機構４は、焦準ハンドル４ａと、ガイド部４ｂと、焦準移動部４ｃと、を備える。ガイド部４ｂは、焦準移動部４ｃを上下方向に移動可能とするガイドであって、ベース部１ａおよび柱部１ｂに締結されている。焦準移動部４ｃは、焦準ハンドル４ａのハンドル軸に設けられるピニオンと噛合するラックを備える。焦準ハンドル４ａを回転させると、ハンドル軸に設けられるピニオンが回転し、ピニオンと噛合するラックが上下方向に移動し、焦準移動部４ｃがガイド部４ｂをガイドとして上下方向に移動することにより、焦準移動部４ｃに固定されるステージ３を昇降移動する。顕微鏡１００では、焦準ハンドル４ａを時計回り、または、反時計回りに回転することにより、ステージ３を上下方向に移動させて、対象標本２と対物レンズ５との焦点合わせを行なう。また、ステージ３は、端部にハンドル３ａを有し、ハンドル３ａの回転動作に応じ、対物レンズ５の光軸に直交した面内で対象標本２を移動させ、対物レンズ５に対する対象標本２の観察位置を変化させる。
【００２２】
レボルバ６は、アーム部１ｃに対して回転自在に保持され、対物レンズ５を対象標本２の上方に配置する。対物レンズ５は、レボルバ６に対して倍率（観察倍率）の異なる他の対物レンズとともに交換自在に装着されており、レボルバ６の切り換え操作に応じて観察光の光路上に挿入されて対象標本２の観察に用いる対物レンズ５が択一的に切り換えられるようになっている。
【００２３】
ランプハウス７は、落射照明光を照射する落射光源であり、投光管８は、ランプハウス７から照射された落射照明光を集光するコレクタレンズや、落射照明光の光路を対物レンズ５の光軸に沿って偏向させる折曲げミラー等の照明光学系が、落射照明光の光路に沿って適所に配置されて構成される。光源から射出された落射照明光は、照明光学系によって対象標本２に照射され、対象標本２から反射した光が観察光として対物レンズ５に入射する。
【００２４】
鏡筒９は、対物レンズ５が集光した観察光を接眼レンズ１１へと導くビームスプリッタを内設している。対象標本２の標本像は、ビームスプリッタによって接眼レンズ１１内に導入され、接眼レンズ１１を介して観察者に目視観察される。
【００２５】
位置情報表示部１０は、対物レンズ５の焦点位置とステージ３上面との間隔を測長可能なスケール１０ａを有する。図２Ａおよび図２Ｂは、図１の顕微鏡１００の位置情報表示部１０近傍の一部拡大斜視図であり、図２Ａは、ステージ３上に対象標本２を載置していない場合、図２Ｂは対象標本２を載置している場合を示している。
【００２６】
スケール１０ａは、顕微鏡１００の正面側および側面側から視認可能な位置に配置される。スケール１０ａは、基準位置（０点）が対物レンズ５の焦点位置と一致するように配置される。顕微鏡１００では、図２Ａに示すように、スケール１０ａの基準位置（０点）にステージ３上面を合わせることにより、ステージ３上面を対物レンズ５の合焦目安範囲とすることができる。
【００２７】
対象標本２をステージ３上に載置して観察を行う際、対象標本２の上面ｆが対物レンズ５の焦点位置、すなわち、図２Ｂに示すように、ステージ３の上面がスケール１０ａの目盛で対象標本２の高さＲ１となるように、焦準ハンドル４ａを回転して調整することにより、合焦目安範囲とすることができる。例えば、対象標本２の高さＲ１が１５ｍｍのとき、ステージ３上面をスケール１０ａの１５ｍｍの目盛に合わせるよう移動すればよい。
【００２８】
次に、顕微鏡１００における対象標本２への焦点合わせの手順について説明する。
【００２９】
まず、焦準ハンドル４ａを回転させてステージ３を下方向に移動させ、対物レンズ５とステージ３との間隔を確保する。対物レンズ５とステージ３との間隔は、観察する対象標本２の高さＲ１に応じて適宜決定すればよい。
【００３０】
対物レンズ５とステージ３との間隔を確保した後、ステージ３に対象標本２を載置する。観察する対象標本２のおよその高さＲ１は、実測等により把握しておくことが好ましい。
【００３１】
ステージ３に対象標本２を載置後、スケール１０ａの基準位置（対物レンズ５の焦点位置）とステージ３上面との間隔が対象標本２の高さＲ１となるように、スケール１０ａで視認しながらステージ３上面の位置を焦準ハンドル４ａの回転により上下方向に移動する。スケール１０ａの基準位置（対物レンズ５の焦点位置）とステージ３上面との間隔を対象標本２の高さＲ１とすることにより、対象標本２の上面ｆを対物レンズ５の焦点位置近傍（合焦目安範囲内）とすることができる。
【００３２】
位置情報表示部１０により対象標本２上面ｆを合焦目安範囲とした後、観察者は接眼レンズ１１を覗きながら微小な焦点調節を行うことにより、焦点合わせを完了し、対象標本２の表面を観察する。
【００３３】
実施の形態１では、位置情報表示部１０としてスケール１０ａを使用し、ステージ３上面を対象標本２の高さに調整することにより、対象標本２の上面ｆを対物レンズ５の焦点位置近傍に容易に一致させることができるので、焦点合わせ作業を簡易かつ短時間に行うことが可能となる。
【００３４】
なお、実施の形態１では、対物レンズ５の焦点位置と一致する基準位置としてスケール１０ａの０点を使用しているが、スケール１０ａの基準位置として他の値を使用してもよい。
【００３５】
また、位置情報表示部１０は、柱部１ｂに固定配置されるものではなく、上下方向に移動できるものであってもよい。顕微鏡１００は、使用する光学系によりベース部１ａと投光管８との間が嵩上げされて、対物レンズ５の取付け位置が変動、すなわち対物レンズ５の焦点位置が変動する場合がある。かかる場合に、変動した対物レンズ５の焦点位置とスケール１０ａの基準位置が一致するようスケール１０ａの配置位置を上下方向に移動することで、多様なユニットおよび／または部位を備えた顕微鏡システムにおいても、焦点合わせを容易に行うことができる。
【００３６】
さらに、実施の形態１は、ステージ３側に焦準機構４を備え、ステージ３を上下方向に移動して焦点合わせを行うが、対物レンズ５側に焦準機構を備え、対物レンズ５を上下方向に移動することにより焦点合わせを行う顕微鏡においても、柱部１ｂに基準位置が対物レンズ５の焦点位置と一致するよう位置情報表示部１０を配置することにより、焦点合わせを容易に行うことができる。
【００３７】
（実施の形態２）
実施の形態２では、位置情報表示部は、スケールと、第１の指標を備える。図３は、実施の形態２にかかる顕微鏡の概略構成を示す斜視図である。図４Ａおよび図４Ｂは、図３の顕微鏡の位置情報表示部近傍の一部拡大斜視図であり、図４Ａは、ステージ３上に対象標本２を載置していない場合、図４Ｂは対象標本２を載置している場合である。
【００３８】
実施の形態２にかかる顕微鏡１００Ａにおいて、位置情報表示部１０Ａは、対物レンズ５の焦点位置とステージ３上面との間隔を測長可能なスケール１０ａと、スケール１０ａの近傍に配置され、スケール１０ａとともに対物レンズ５の焦点位置とステージ３上面との間隔を視認できる第１の指標１０ｂと、を備える。第１の指標１０ｂは、矢印で構成され、スケール１０ａ側に矢印の先端が向いている。スケール１０ａは、実施の形態１と同様に、基準位置（０点）が対物レンズ５の焦点位置と一致するよう柱部１ｂに配置され、第１の指標１０ｂは、焦準移動部４ｃに配置され、ステージ３の昇降に連動して移動する。第１の指標１０ｂは、顕微鏡１００Ａの正面側および側面側から視認可能な位置に配置される。第１の指標１０ｂは、図４Ａに示すように、基準位置（矢印の先端）がステージ３上面と同位置、すなわち、ステージ３上面を対物レンズ５の焦点位置（スケール１０ａの基準位置）とした際、第１の指標１０ｂの基準位置（矢印の先端）が、スケール１０ａの基準位置（０点）に一致するように焦準移動部４ｃに配置される。なお、第１の指標１０ｂの基準位置（矢印の先端）は、ステージ３上面と同じ位置（スケール１０ａの基準位置）にかならずしも一致させる必要はない。
【００３９】
実施の形態２では、図４Ｂに示すように、対象標本２をステージ３上に載置して観察を行う際、ステージ３の上面または第１の指標１０ｂの基準位置が、スケール１０ａの目盛で対象標本２の高さＲ１となるように、焦準ハンドル４ａを回転して調整することにより、対象標本２の上面ｆが対物レンズ５の焦点位置、すなわち、合焦目安範囲とすることができる。例えば、対象標本２の高さＲ１が１５ｍｍのとき、ステージ３上面、または第１の指標１０ｂの基準位置をスケール１０ａの１５ｍｍの目盛に合わせるよう移動すればよい。
【００４０】
実施の形態２では、スケール１０ａおよび第１の指標１０ｂを使用して、対象標本２の上面ｆを対物レンズ５の焦点位置に容易に焦点合わせすることができる。また、第１の指標１０ｂをスケール１０ａに近接する焦準移動部４ｃに配置するため、視線をステージ３と平行にしなくとも第１の指標１０ｂの位置確認が容易であり、斜め方向から位置確認する作業姿勢でも焦点合わせを容易に行うことができる。
【００４１】
なお、実施の形態２では、スケール１０ａを柱部１ｂに、第１の指標１０ｂを焦準移動部４ｃに配置しているが、スケール１０ａを焦準移動部４ｃ（またはステージ３）に配置し、第１の指標１０ｂを柱部１ｂに配置しても、同様に焦点合わせを行うことができる。
【００４２】
また、第１の指標として、副尺目盛を使用することもできる。図５は、実施の形態２の変形例にかかる顕微鏡の概略構成を示す斜視図である。図６は、図５の顕微鏡の位置情報表示部近傍の一部拡大斜視図である。
【００４３】
実施の形態２の変形例にかかる顕微鏡１００Ｂにおいて、位置情報表示部１０Ｂは、対物レンズ５の焦点位置とステージ３上面との間隔を測長可能なスケール１０ａと、スケール１０ａの近傍に配置され、スケール１０ａとともに対物レンズ５の焦点位置とステージ３上面との間隔を視認できる第１の指標１０ｂ’と、を備える。第１の指標１０ｂ’は、副尺目盛で構成されている。スケール１０ａは、実施の形態１と同様に、対物レンズ５の焦点位置がスケール１０ａの基準位置（０点）と一致するよう柱部１ｂに配置される。第１の指標１０ｂ’は、ステージ３の昇降に連動して移動するよう、焦準移動部４ｃに配置されている。第１の指標１０ｂ’は、基準位置（０点）がステージ３上面と同じ位置、すなわち、ステージ３上面を対物レンズ５の焦点位置（スケール１０ａの基準位置）とした際、第１の指標１０ｂ’の基準位置（０点）が、スケール１０ａの基準位置（０点）に一致する。なお、第１の指標１０ｂ’の基準位置（０点）は、ステージ３上面と同じ位置（スケール１０ａの基準位置）にかならずしも一致させる必要はない。
【００４４】
実施の形態２の変形例では、対象標本２をステージ３上に載置して観察を行う際、ステージ３の上面または第１の指標１０ｂ’の基準位置が、スケール１０ａの目盛で対象標本２の高さＲ１となるように、焦準ハンドル４ａを回転して調整することにより、対象標本２の上面ｆが対物レンズ５の焦点位置、すなわち、合焦目安範囲とすることができる。
【００４５】
実施の形態２では、スケール１０ａおよび第１の指標１０ｂ’を使用して、対象標本２の上面ｆを対物レンズ５の焦点位置に容易に焦点合わせすることができる。また、第１の指標１０ｂ’をスケール１０ａに近接する焦準移動部４ｃに配置するため、視線をステージ３と平行にしなくとも第１の指標１０ｂの位置確認が容易であり、斜め方向から位置確認する作業姿勢でも焦点合わせを容易に行うことができる。さらに、第１の指標１０ｂ’を副尺目盛で構成するため、より精度よく焦点合わせを行うことができる。
【００４６】
なお、実施の形態２の変形例では、スケール１０ａを柱部１ｂに、第１の指標１０ｂ’を焦準移動部４ｃに配置しているが、スケール１０ａを焦準移動部４ｃ（またはステージ３）に配置し、第１の指標１０ｂ’を柱部１ｂに配置しても、同様に焦点合わせを行うことができる。
【００４７】
（実施の形態３）
実施の形態３では、位置情報表示部は、スケール、第１の指標、および第２の指標を備える。図７は、実施の形態３にかかる顕微鏡の概略構成を示す斜視図である。図８Ａおよび図８Ｂは、図７の顕微鏡の位置情報表示部近傍の一部拡大斜視図である。
【００４８】
実施の形態３にかかる顕微鏡１００Ｃにおいて、位置情報表示部１０Ｃは、対物レンズ５の焦点位置とステージ３上面との間隔を測長可能なスケール１０ａと、スケール１０ａの近傍に配置され、スケール１０ａとともに対物レンズ５の焦点位置とステージ３上面との間隔を視認できる第１の指標１０ｂと、対象標本２の高さＲ１を示す第２の指標１０ｃと、を備える。第１の指標１０ｂは、矢印で構成され、スケール１０ａ側に矢印の先端が向いている。第２の指標１０ｃは、矢印で構成され、第１の指標１０ｂと対向するようにスケール１０ａ側に矢印の先端が向いている。第２の指標１０ｃは、移動可能な指標であって、スケール１０ａに隣接して移動できるように、ガイド等を設けてこのガイド上を移動させて第２の指標１０ｃの位置を移動したり、あるいは第２の指標１０ｃをマグネットで形成し、柱部１ｂに着脱可能としてもよい。
【００４９】
スケール１０ａは、対物レンズ５の焦点位置がスケール１０ａの基準位置（０点）と一致するよう柱部１ｂに配置される。第１の指標１０ｂは、ステージ３の昇降に連動して移動するよう、焦準移動部４ｃに配置されている。第１の指標１０ｂは、基準位置（矢印の先端）がステージ３上面と同じ位置、すなわち、ステージ３上面を対物レンズ５の焦点位置（スケール１０ａの基準位置）とした際、第１の指標１０ｂの基準位置（矢印の先端）が、スケール１０ａの基準位置（０点）に一致するよう焦準移動部４ｃに配置される。第２の指標１０ｃは、基準位置（矢印の先端）が対象標本２の高さＲ１に対応するスケール１０ａの目盛の位置となるよう、観察する対象標本２に応じて配置する位置を変更する。
【００５０】
実施の形態３では、対象標本２をステージ３上に載置して観察を行う際、図に示すように、ステージ３の上面または第１の指標１０ｂの基準位置が、スケール１０ａの目盛で対象標本２の高さＲ１、または第２の指標１０ｃの基準位置となるように、焦準ハンドル４ａを回転して調整することにより、合焦目安範囲とすることができる。例えば、図８Ｂに示すように、対象標本２の高さＲ１が１５ｍｍのとき、第２の指標１０ｃの基準位置がスケール１０ａの１５ｍｍの目盛を指すように第２の指標１０ｃが配置され、ステージ３上面または第１の指標１０ｂの基準位置を、スケール１０ａの１５ｍｍの目盛または第２の指標１０ｃの基準位置に合わせるよう移動すればよい。
【００５１】
実施の形態３では、スケール１０ａ、第１の指標１０ｂおよび第２の指標１０ｃを使用して、対象標本２の上面ｆを対物レンズ５の焦点位置に容易に焦点合わせすることができる。また、第１の指標１０ｂをスケール１０ａに近接する焦準移動部４ｃに配置するため、視線をステージ３と平行にしなくとも第１の指標１０ｂの位置確認が容易であり、斜め方向から位置確認する作業姿勢でも焦点合わせを容易に行うことができる。さらに、第２の指標１０ｃは移動可能であって、基準位置（矢印の先端）を対象標本２の高さＲ１に対応するスケール１０ａの目盛を示すように配置できるので、繰り返し同じ高さＲ１の対象標本２を観察する際、第２の指標１０ｃを目印として容易に焦点合わせを行うことができる。
【００５２】
なお、第２の指標１０ｃは、複数配置してもよく、高さの異なる種々の対象標本の高さＲ１を示す目印として使用するほか、ステージ３の移動範囲の設定に使用することもできる。
【００５３】
また、実施の形態３では、スケール１０ａおよび第２の指標１０ｃを柱部１ｂに、第１の指標１０ｂを焦準移動部４ｃに配置しているが、スケール１０ａおよび第２の指標１０ｂを焦準移動部４ｃ（またはステージ３）に配置し、第１の指標１０ｂを柱部１ｂに配置しても、同様に焦点合わせを行うことができる。
【００５４】
さらに、実施の形態３において、矢印から構成される第１の指標１ｂに変えて、副尺目盛から構成される第１の指標１ｂ’を使用してもよい。
【００５５】
さらにまた、位置情報表示部は、対物レンズ５の焦点位置とステージ３上面との間隔を測長可能なスケール１０ａ、および対象標本２の高さＲ１を示す第２の指標１０ｃのみから構成されてもよい。かかる場合、ステージ３の上面が、スケール１０ａの目盛で対象標本２の高さＲ１または第２の指標１０ｃの基準位置となるように、焦準ハンドル４ａを回転して調整することにより、対象標本２の上面ｆが対物レンズ５の焦点位置、すなわち、合焦目安範囲とすることができる。例えば、対象標本２の高さＲ１が１５ｍｍのとき、第２の指標１０ｃの基準位置が、スケール１０ａの１５ｍｍの目盛を指すように配置され、ステージ３上面は、スケール１０ａの１５ｍｍの目盛または第２の指標１０ｃの基準位置に合わせるよう移動すればよい。
【符号の説明】
【００５６】
１  顕微鏡本体部
１ａ  ベース部
１ｂ  柱部
１ｃ  アーム部
２  対象標本
３  ステージ
３ａ  ハンドル
４  焦準機構
４ａ  焦準ハンドル
４ｂ  ガイド部
４ｃ  焦準移動部
５  対物レンズ
６  レボルバ
７  ランプハウス
８  投光管
９  鏡筒
１０、１０Ａ、１０Ｂ、１０Ｃ  位置情報表示部
１０ａ  スケール
１０ｂ、１０ｂ’  第１の指標
１０ｃ  第２の指標
１１  接眼レンズ
１００、１００Ａ、１００Ｂ、１００Ｃ  顕微鏡
【図１】
0006550279.tif 000002
【図２Ａ】
0006550279.tif 000003
【図２Ｂ】
0006550279.tif 000004
【図３】
0006550279.tif 000005
【図４Ａ】
0006550279.tif 000006
【図４Ｂ】
0006550279.tif 000007
【図５】
0006550279.tif 000008
【図６】
0006550279.tif 000009
【図７】
0006550279.tif 000010
【図８Ａ】
0006550279.tif 000011
【図８Ｂ】
0006550279.tif 000012